(57)【要約】【課題】外部から任意のタイミングで検査オーダーが発行された場合に、最新の検査オーダーに基づいて検査を進行できるようにする。【解決手段】検査候補切替え部１１３からの検査候補切替え情報に基づいて、検査情報取得部１１１で取得した検査情報の中から検査候補となる検査情報を抽出して操作・表示部１５０に表示する処理を行う表示検査候補抽出部１１５１と、検査情報入力部１１４から入力された検査対象となる検査情報に基づいて、検査情報取得部１１１で取得した検査情報の中から、操作・表示部１５０に非表示の検査情報であって当該検査対象となる検査情報に関連する関連検査情報を抽出し、当該検査対象となる検査情報および関連検査情報を操作・表示部１５０に選択表示する処理を行う非表示検査候補抽出部１１５２を備える。【選択図】図２
2014146381.tif 000002
【特許請求の範囲】
【請求項１】
外部装置から入力された検査情報に基づき、１つまたは複数の検査を進行可能な医療用検査装置であって、
前記外部装置から新規の検査情報を取得するとともに、保留中の検査の検査情報を取得する検査情報取得手段と、
検査候補の切替えに係る検査候補切替え情報の入力を行う検査候補切替え手段と、
前記検査候補切替え情報に基づいて、前記検査情報取得手段で取得した検査情報の中から検査候補となる検査情報を抽出して表示手段に表示する処理を行う表示検査候補抽出手段と、
検査対象となる検査情報の入力を行う検査情報入力手段と、
前記検査情報入力手段から入力された検査対象となる検査情報に基づいて、前記検査情報取得手段で取得した検査情報の中から、前記表示手段に非表示の検査情報であって当該検査対象となる検査情報に関連する関連検査情報を抽出し、前記検査対象となる検査情報および前記関連検査情報を前記表示手段に選択表示する処理を行う非表示検査候補抽出手段と
を有することを特徴とする医療用検査装置。
【請求項２】
前記表示手段に前記選択表示された検査情報に基づく検査を開始する制御を行う検査制御手段を更に有することを特徴とする請求項１に記載の医療用検査装置。
【請求項３】
前記検査候補切替え手段は、少なくとも、新規検査と検査進行中の検査との検査状態に基づき前記検査候補切替え情報の入力を行うことを特徴とする請求項１に記載の医療用検査装置。
【請求項４】
前記検査情報取得手段は、少なくとも、一定間隔で前記新規の検査情報を取得することを特徴とする請求項１に記載の医療用検査装置。
【請求項５】
前記検査情報入力手段は、手動で入力された検査情報の入力も可能に構成されており、当該検査情報も前記表示手段に表示することが可能に構成されていることを特徴とする請求項１に記載の医療用検査装置。
【請求項６】
前記検査情報入力手段は、手動で入力された検査情報の入力も可能に構成されており、
前記非表示検査候補抽出手段は、当該手動で入力された検査情報を、前記関連検査情報を抽出する対象から除外することを特徴とする請求項１に記載の医療用検査装置。
【請求項７】
前記表示手段に前記選択表示された検査情報に基づく検査の開始時に、前記外部装置から、当該検査を行う検査情報に関連する検査情報を取得する開始検査関連情報取得手段と、
前記検査情報取得手段で取得した検査情報と前記開始検査関連情報取得手段で取得した検査情報との差分を抽出し、当該差分に係る検査情報を前記表示手段に選択表示する処理を行う開始検査差分抽出手段と
を更に有することを特徴とする請求項１に記載の医療用検査装置。
【請求項８】
前記表示手段に前記選択表示された検査情報に基づく検査を開始する制御を行う検査制御手段を更に有することを特徴とする請求項７に記載の医療用検査装置。
【請求項９】
前記表示手段に前記選択表示された検査情報に基づく検査の検査中に、前記外部装置から、当該検査中の検査情報に関連する検査情報を取得する検査中検査関連情報取得手段と、
前記選択表示された検査情報と前記検査中検査関連情報取得手段で取得した検査情報との差分を抽出し、当該差分に係る検査情報を前記表示手段に選択表示する処理を行う検査中検査差分抽出手段と
を更に有することを特徴とする請求項１または７に記載の医療用検査装置。
【請求項１０】
前記差分に係る検査情報に基づく検査を進行中の検査に追加して検査を行う制御をする検査制御手段を更に有することを特徴とする請求項９に記載の医療用検査装置。
【請求項１１】
前記検査中検査関連情報取得手段は、少なくとも、一定間隔で前記検査中の検査情報に関連する検査情報を取得することを特徴とする請求項９に記載の医療用検査装置。
【請求項１２】
外部装置から入力された検査情報に基づき、１つまたは複数の検査を進行可能な医療用検査装置による医療用検査処理方法であって、
前記外部装置から新規の検査情報を取得するとともに、保留中の検査の検査情報を取得する検査情報取得ステップと、
検査候補の切替えに係る検査候補切替え情報の入力を行う検査候補切替えステップと、
前記検査候補切替え情報に基づいて、前記検査情報取得ステップで取得した検査情報の中から検査候補となる検査情報を抽出して表示手段に表示する処理を行う表示検査候補抽出ステップと、
検査対象となる検査情報を検査情報入力手段から入力する検査情報入力ステップと、
前記検査情報入力手段から入力された検査対象となる検査情報に基づいて、前記検査情報取得ステップで取得した検査情報の中から、前記表示手段に非表示の検査情報であって当該検査対象となる検査情報に関連する関連検査情報を抽出し、前記検査対象となる検査情報および前記関連検査情報を前記表示手段に選択表示する処理を行う非表示検査候補抽出ステップと
を有することを特徴とする医療用検査処理方法。
【請求項１３】
外部装置から入力された検査情報に基づき、１つまたは複数の検査を進行可能な医療用検査装置による医療用検査処理方法をコンピュータに実行させるためのプログラムであって、
前記外部装置から新規の検査情報を取得するとともに、保留中の検査の検査情報を取得する検査情報取得ステップと、
検査候補の切替えに係る検査候補切替え情報の入力を行う検査候補切替えステップと、
前記検査候補切替え情報に基づいて、前記検査情報取得ステップで取得した検査情報の中から検査候補となる検査情報を抽出して表示手段に表示する処理を行う表示検査候補抽出ステップと、
検査対象となる検査情報を検査情報入力手段から入力する検査情報入力ステップと、
前記検査情報入力手段から入力された検査対象となる検査情報に基づいて、前記検査情報取得ステップで取得した検査情報の中から、前記表示手段に非表示の検査情報であって当該検査対象となる検査情報に関連する関連検査情報を抽出し、前記検査対象となる検査情報および前記関連検査情報を前記表示手段に選択表示する処理を行う非表示検査候補抽出ステップと
をコンピュータに実行させるためのプログラム。
【発明の詳細な説明】
【技術分野】
【０００１】
本発明は、外部装置から入力された検査情報に基づき、１つまたは複数の検査を進行可能な医療用検査装置及び医療用検査処理方法、並びに、当該医療用検査処理方法をコンピュータに実行させるためのプログラムに関するものである。
【背景技術】
【０００２】
近年、病院内の各部門間では、ＨＩＳ（Ｈｏｓｐｉｔａｌ  Ｉｎｆｏｒｍａｔｉｏ  Ｓｙｓｔｅｍ）と呼ばれる病院情報システムの構築が進められている。そして、各部門内でも、例えば、放射線部門では、放射線撮影管理システムとしてＲＩＳ（Ｒａｄｉｏｌｏｇｙ  Ｉｎｆｏｒｍａｔｉｏｎ  Ｓｙｓｔｅｍ）等の情報システムを構築し、情報伝達のオンライン化が図られている。このようなオンライン化の発展に伴って、医師による検査依頼情報を検査オーダーとして依頼先の別部門である放射線部門等へ伝達することができるようになっている。そして、ネットワークを介して接続された、例えば、医療用検査装置としてのＸ線撮影装置を用いて検査オーダーに基づいた撮影が可能になっている。
【０００３】
Ｘ線撮影装置等を用いて撮影を行う医療用検査システムとして、ＲＩＳ等の外部から要求された検査オーダーに基づく情報を表示部に表示し、放射線技師等により選択された検査オーダーに基づいて検査を進行するシステムが良く知られている。このような医療用検査システムは、１人の被検者に対して複数要求された検査オーダーを被検者単位でまとめて検査を開始することもできる。
【０００４】
また、ある被検者の検査中に、優先度の高い被検者の検査オーダーが要求された場合や、ある一定時間後に再度撮影による検査を再開したい場合など、進行中の検査を保留にして他の被検者の検査オーダーを進行可能なシステムが知られている。これにより、任意なタイミングで進行中の検査を保留し、他の被検者に対する検査を実施した後、再度検査を再開することができる（例えば、下記の特許文献１、特許文献２参照）。
【先行技術文献】
【特許文献】
【０００５】
【特許文献１】特開２００３−２４５２７０号公報
【特許文献２】特開２００４−１８０７０５号公報
【発明の概要】
【発明が解決しようとする課題】
【０００６】
ところで、ＲＩＳ等の外部からの検査オーダーは任意のタイミングで要求できる。
したがって、保留を含む検査中の被検者に対して、新たな検査オーダーが発行される可能性がある。
【０００７】
しかしながら、従来の方法では、検査中の被検者に対して新たな検査オーダーが発行されても認識する手段がなかった。このため、検査再開時に、その被検者の新たな検査オーダーが発行されていても、その検査オーダーを含めた検査を再開ができなかった。また、同様に、現在撮影中の被検者に関して新たな検査オーダーが発行された場合も、新たな検査オーダーを追加して検査を進行することができなかった。このため、検査中の検査を終了後、再度、同一の被検者の検査オーダーを選択して、検査を開始する必要があった。
【０００８】
また、外部から検査オーダーを取得するタイミングによっては、表示部に表示されている検査オーダーリストの情報が最新とは限らない。
【０００９】
しかしながら、従来の方法では、表示されている検査オーダーリストから対象となる検査を選択し、被検者単位で検査を開始するため、外部の装置で選択された被検者の新たな検査オーダーが追加されても、その情報を取得して検査を開始することができなかった。
【００１０】
本発明は、このような問題点に鑑みてなされたものであり、外部から任意のタイミングで検査オーダーが発行された場合に、最新の検査オーダーに基づいて検査を進行できるようにすることを目的とする。
【課題を解決するための手段】
【００１１】
本発明の医療用検査装置は、外部装置から入力された検査情報に基づき、１つまたは複数の検査を進行可能な医療用検査装置であって、前記外部装置から新規の検査情報を取得するとともに、保留中の検査の検査情報を取得する検査情報取得手段と、検査候補の切替えに係る検査候補切替え情報の入力を行う検査候補切替え手段と、前記検査候補切替え情報に基づいて、前記検査情報取得手段で取得した検査情報の中から検査候補となる検査情報を抽出して表示手段に表示する処理を行う表示検査候補抽出手段と、検査対象となる検査情報の入力を行う検査情報入力手段と、前記検査情報入力手段から入力された検査対象となる検査情報に基づいて、前記検査情報取得手段で取得した検査情報の中から、前記表示手段に非表示の検査情報であって当該検査対象となる検査情報に関連する関連検査情報を抽出し、前記検査対象となる検査情報および前記関連検査情報を前記表示手段に選択表示する処理を行う非表示検査候補抽出手段とを有する。
また、本発明は、上述した医療用検査装置による医療用検査処理方法、及び、当該医療用検査処理方法をコンピュータに実行させるためのプログラムを含む。
【発明の効果】
【００１２】
本発明によれば、外部から任意のタイミングで検査オーダーが発行された場合に、最新の検査オーダーに基づいて検査を進行することができる。
【図面の簡単な説明】
【００１３】
【図１】本発明の第１の実施形態に係る医療用検査システムの概略構成の一例を示す模式図である。
【図２】本発明の第１の実施形態を示し、図１に示すＸ線撮影装置（医療用検査装置）のＸ線撮影装置制御部における主要な機能構成の一例を示す模式図である。
【図３】本発明の第１の実施形態を示し、図１に示す操作・表示部に表示される検査オーダー選択画面の一例を示す模式図である。
【図４】本発明の第１の実施形態を示し、図１に示す操作・表示部に表示される検査オーダー選択画面の一例を示す模式図である。
【図５】本発明の第１の実施形態を示し、図２に示すＸ線撮影装置制御部による医療用検査処理方法の処理手順の一例を示すフローチャートである。
【図６】本発明の第２の実施形態を示し、図１に示すＸ線撮影装置（医療用検査装置）のＸ線撮影装置制御部における主要な機能構成の一例を示す模式図である。
【図７】本発明の第２の実施形態を示し、図１に示す操作・表示部に検査開始の際に表示される検査オーダー差分通知画面の一例を示す模式図である。
【図８】本発明の第２の実施形態を示し、図６に示すＸ線撮影装置制御部による医療用検査処理方法の処理手順の一例を示すフローチャートである。
【図９】本発明の第３の実施形態を示し、図１に示すＸ線撮影装置（医療用検査装置）のＸ線撮影装置制御部における主要な機能構成の一例を示す模式図である。
【図１０】本発明の第３の実施形態を示し、図１に示す操作・表示部に検査中に表示される撮影画像表示画面及び検査オーダー差分通知画面の一例を示す模式図である。
【図１１】本発明の第３の実施形態を示し、図９に示すＸ線撮影装置制御部による医療用検査処理方法の処理手順の一例を示すフローチャートである。
【発明を実施するための形態】
【００１４】
以下に、図面を参照しながら、本発明を実施するための形態（実施形態）について説明する。なお、以下に説明する本発明の各実施形態においては、本発明に係る医療用検査装置として、Ｘ線を用いた撮影により被検者の検査を行うＸ線撮影装置を適用した例について説明を行う。ここで、本発明に係る医療用検査装置としては、このＸ線撮影装置に限定されるものではなく、例えば、α線やβ線、γ線などの他の放射線を用いた放射線撮影装置も適用可能である。
【００１５】
（第１の実施形態）
まず、本発明の第１の実施形態について説明を行う。
【００１６】
図１は、本発明の第１の実施形態に係る医療用検査システムの概略構成の一例を示す模式図である。この医療用検査システム１０は、ＲＩＳ２１０等の外部装置から撮影対象となる被検者の検査オーダーを取得し、取得した検査オーダーに基づいて検査を進行するシステムである。
【００１７】
医療用検査システム１０は、図１に示すように、Ｘ線撮影装置（医療用検査装置）１００と、ＲＩＳ２１０と、ＰＡＣＳ２２０−１と、Ｖｉｅｗｅｒ２２０−２と、プリンタ２２０−３と、ネットワーク２３０を有して構成されている。
【００１８】
また、Ｘ線撮影装置１００は、図１に示すように、Ｘ線撮影装置制御部１１０と、Ｘ線発生装置制御部１２０と、Ｘ線発生装置１３０と、センサ１４１を含み構成されるセンサユニット１４０と、操作・表示部１５０を有して構成されている。
【００１９】
Ｘ線撮影装置制御部１１０は、Ｘ線撮影装置１００の動作を統括的に制御する。Ｘ線発生装置制御部１２０は、Ｘ線撮影装置制御部１１０からの指示に基づきＸ線発生装置１３０を制御して、Ｘ線発生装置１３０から発生させるＸ線１３１ａの制御を行う。Ｘ線発生装置１３０は、Ｘ線を発生させるＸ線管球を具備し、Ｘ線発生装置制御部１２０からの制御に基づき、被写体である被検者ＨにＸ線１３１ａを照射する。
【００２０】
センサ１４１は、被検者Ｈを透過したＸ線１３１ｂを電気信号（電荷）として検出する。センサユニット１４０は、センサ１４１で検出された電荷をＡ／Ｄ変換して、Ｘ線画像（より具体的には、Ｘ線デジタル画像）として出力する。
【００２１】
操作・表示部１５０は、操作者からの操作入力を受け付ける操作部と、Ｘ線画像や各種の情報を表示する表示部を備えて構成されている。
【００２２】
ＲＩＳ２１０は、放射線部門内の情報システムである。ＰＡＣＳ２２０−１は、Ｘ線撮影装置１００で撮影されたＸ線画像を保存・管理する画像サーバである。Ｖｉｅｗｅｒ２２０−２は、診断用のＸ線画像を出力するものである。プリンタ２２０−３は、診断用のＸ線画像を印刷出力するものである。
【００２３】
ネットワーク２３０は、Ｘ線撮影装置１００、ＲＩＳ２１０、ＰＡＣＳ２２０−１、Ｖｉｅｗｅｒ２２０−２、並びに、プリンタ２２０−３を、相互に通信可能に接続する。
【００２４】
次に、図１に示す医療用検査システム１０の簡単な処理の流れについて説明する。
Ｘ線撮影装置制御部１１０は、外部装置であるＲＩＳ２１０から被検者Ｈの検査オーダー（撮影オーダー）の情報を受信すると、当該検査オーダーに応じた、Ｘ線管球の管電流や管電圧、Ｘ線１３１ａの照射時間等の撮影条件をＸ線発生装置制御部１２０へ送る。そして、照射ボタン（不図示）が押されると、Ｘ線発生装置制御部１２０は、Ｘ線撮影装置制御部１１０からの撮影条件に応じて、Ｘ線発生装置１３０のＸ線管球に高電圧等を供給し、Ｘ線発生装置１３０からＸ線１３１ａを発生させる。
【００２５】
そして、センサ１４１は、被検者Ｈを透過したＸ線１３１ｂを電気信号（電荷）として検出する。センサユニット１４０は、センサ１４１で検出された被検者Ｈの透過Ｘ線量に相当する電荷をＡ／Ｄ変換して、これをＸ線画像としてＸ線撮影装置制御部１１０へ転送する。Ｘ線撮影装置制御部１１０は、受信したＸ線画像に様々な補正処理や画像処理を施す。そして、Ｘ線撮影装置制御部１１０は、処理後のＸ線画像を、内部メモリに記憶し操作・表示部１５０に表示したり、ＰＡＣＳ２２０−１へ保存したり、必要に応じて、Ｖｉｅｗｅｒ２２０−２やプリンタ２２０−３に出力したりして診断が行われる。
【００２６】
即ち、Ｘ線撮影装置１００は、外部装置から入力された検査情報に基づき、１つまたは複数の検査を進行可能な医療用検査装置である。
【００２７】
図２は、本発明の第１の実施形態を示し、図１に示すＸ線撮影装置（医療用検査装置）１００のＸ線撮影装置制御部１１０における主要な機能構成の一例を示す模式図である。ここで、図２では、Ｘ線撮影装置制御部１１０−１として記載する。また、図２には、図１のＸ線発生装置制御部１２０と、センサユニット１４０と、ＰＡＣＳ２２０−１、Ｖｉｅｗｅｒ２２０−２及びプリンタ２２０−３からなる出力装置２２０と、操作・表示部１５０と、ＲＩＳ２１０についても図示している。
【００２８】
Ｘ線撮影装置制御部１１０−１は、検査情報取得部１１１、検査中検査情報保持用メモリ１１２、検査候補切替え部１１３、検査情報入力部１１４、表示検査リスト制御部１１５、撮影制御部１１６、Ｘ線画像保持用メモリ１１７を有して構成されている。
【００２９】
検査情報取得部１１１は、ＲＩＳ２１０から新規（最新）の検査オーダーの検査情報、及び、検査中検査情報保持用メモリ１１２に保存されている、検査中で保留になっている検査オーダーの検査情報を取得する。
【００３０】
検査候補切替え部１１３は、例えば操作・表示部１５０からの入力に基づいて、表示検査リスト制御部１１５（表示検査候補抽出部１１５１）に対して、検査候補の切替えに係る検査候補切替え情報を送る。
【００３１】
検査情報入力部１１４は、例えば操作・表示部１５０からの入力に基づいて、表示検査リスト制御部１１５（非表示検査候補抽出部１１５２）に対して、検査情報の入力処理を行う。
【００３２】
なお、図２に示す例では、検査候補切替え部１１３及び検査情報入力部１１４は、操作・表示部１５０からの入力に基づき表示検査リスト制御部１１５に対して情報を入力するものを示しているが、本実施形態においては、この態様に限定されるものではない。例えば、検査候補切替え部１１３及び検査情報入力部１１４は、操作・表示部１５０とは独立して設けられていてもよく、さらに、Ｘ線撮影装置制御部１１０−１の外部に操作手段として設けられていてもよい。
【００３３】
表示検査リスト制御部１１５は、撮影制御部１１６を介して、検査情報取得部１１１で取得した検査オーダーの検査情報を操作・表示部１５０に表示する制御を行うものであり、表示検査候補抽出部１１５１と非表示検査候補抽出部１１５２を含み構成されている。
【００３４】
表示検査候補抽出部１１５１は、検査候補切替え部１１３によって指定された情報に基づいて、操作・表示部１５０にリスト表示する検査候補を抽出する処理を行う。非表示検査候補抽出部１１５２は、非表示中の検査オーダーの中から、検査情報入力部１１４により入力された検査オーダーに関連する検査オーダーを抽出する処理を行う。
【００３５】
撮影制御部１１６は、被検体Ｈの検査に係る撮影の制御を行う。例えば、撮影制御部１１６は、開始する検査オーダーが確定すると、確定した検査オーダーに基づいてＸ線撮影に係る制御を行う。また、撮影制御部１１６は、検査状況に応じて、検査中検査情報保持用メモリ１１２に保存されている検査オーダーの検査情報を更新する処理も行う。
【００３６】
図３は、本発明の第１の実施形態を示し、図１に示す操作・表示部１５０に表示される検査オーダー選択画面の一例を示す模式図である。
この図３に示す検査オーダー選択画面３００には、メッセージ表示部３１０、検査情報入力部３２０、更新ボタン３３０、及び、検査開始ボタン３４０が設けられている。
【００３７】
メッセージ表示部３１０には、次の操作を指示するメッセージが表示される。検査情報入力部３２０は、検査情報を入力するものであり、検査オーダーリストの条件を入力する検査オーダー条件入力部３２１と、選択可能な検査オーダーを表示する検査オーダーリスト表示部３２２が構成されている。
【００３８】
更新ボタン３３０は、操作されると、任意のタイミングでＲＩＳ２１０から最新の検査オーダーの検査情報が取得される。検査開始ボタン３４０は、操作されると、確定した検査オーダーに基づく検査が開始される。
【００３９】
ここで、図３に示す例では、検査オーダー条件入力部３２１において、検査オーダーの絞込みが全検査オーダーとなっているため、検査オーダーリスト表示部３２２には、全検査オーダーが示されている。
【００４０】
また、図４は、本発明の第１の実施形態を示し、操作・表示部１５０に表示される検査オーダー選択画面の一例を示す模式図である。具体的に、図４には、図３に示す検査オーダー条件入力部３２１において、新規検査オーダーの絞込みを行った場合の検査オーダー選択画面４００が図示されている。ここで、図４に示す検査オーダー選択画面４００では、図３に示す検査オーダー選択画面３００と同様の構成については便宜上同じ符号を付している。
【００４１】
図４（ａ）には、検査オーダー条件入力部３２１の絞込みラジオボタンを新規検査オーダーに設定した際の検査オーダーリスト表示部４２２−１を再表示した検査オーダー選択画面４００−１が示されている。
【００４２】
また、図４（ｂ）には、図４（ａ）の検査オーダー選択画面４００−１において撮影する検査オーダーを選択した際に、選択した検査オーダー４２２１に加えて、関連する非表示中の検査オーダー４２２２を可視化した検査オーダー選択画面４００−２を示す。
【００４３】
図５は、本発明の第１の実施形態を示し、図２に示すＸ線撮影装置制御部１１０−１による医療用検査処理方法の処理手順の一例を示すフローチャートである。
【００４４】
以下、図１〜図５を用いて、第１の実施形態に係る医療用検査システム１０の全体の処理の流れについて説明する。
【００４５】
被検者Ｈは、外来受付を済ませて、医師の診断によりＸ線撮影が必要と判断されると、Ｘ線撮影室へ移動する。そして、医師から発行された検査オーダーは、ＲＩＳ２１０を介して、Ｘ線撮影装置制御部１１０−１へ送信される。放射線技師（操作者）は、操作・表示部１５０の表示画面から当該被検者Ｈの検査オーダーを選択して、当該検査オーダーに基づく撮影を開始する。
【００４６】
放射線技師（操作者）により照射ボタン（不図示）が押下されると、Ｘ線発生装置制御部１２０は、Ｘ線撮影装置制御部１１０−１からの撮影条件に応じて、Ｘ線発生装置１３０からＸ線１３１ａを発生させる。センサ１４１は、被検者Ｈを透過したＸ線１３１ｂを電気信号（電荷）として検出し、センサユニット１４０は、センサ１４１で検出した被検者Ｈの透過Ｘ線量に相当する電荷をＡ／Ｄ変換して、これをＸ線画像としてＸ線撮影装置制御部１１０−１へ送信する。Ｘ線撮影装置制御部１１０−１では、例えば撮影制御部１１６において、受信したＸ線画像に対して、必要に応じて、補正処理や階調処理、周波数処理等の画像処理を施す。そして、撮影制御部１１６は、画像処理後のＸ線画像を、Ｘ線画像保持用メモリ１１７に記憶したり、操作・表示部１５０（或いはＶｉｅｗｅｒ２２０−２）にモニタ表示したりする等の制御を行う。
【００４７】
ここで、以下に、操作者が、被検体Ｈの検査オーダーを選択し、検査を開始するまでのＸ線撮影装置制御部１１０−１の詳細な処理について、図５のフローチャートに沿って説明する。
【００４８】
まず、図５のステップＳ１０１において、検査情報取得部１１１は、ＲＩＳ２１０から最新の検査オーダーの検査情報と、検査中検査情報保持用メモリ１１２に保存されている保留中の検査オーダーの検査情報を取得する。
【００４９】
ここで、検査オーダーを取得するタイミングとしては、例えば、更新ボタン３３０が操作された時や、撮影中の検査が終了し検査オーダー選択画面３００を表示する時、また、予め定められたシステム設定値に基づき一定間隔で定期的に取得してもよい。
【００５０】
続いて、ステップＳ１０２において、表示検査候補抽出部１１５１は、検査候補切替え部１１３からの入力情報および検査オーダーの状態に基づき、ステップＳ２０１で取得した検査オーダーの検査情報の中から検査候補となる検査オーダーの検査情報を抽出する。なお、検査候補切替え部１１３では、少なくとも、新規検査オーダーか検査進行中の検査オーダーかの検査状態を選択肢として持ち、この選択状態に基づき検査候補の切替えに係る検査候補切替え情報を表示検査候補抽出部１１５１に入力する。
【００５１】
続いて、ステップＳ１０３において、表示検査リスト制御部１１５は、ステップＳ１０２で抽出した検査候補となる検査オーダーの検査情報を、撮影制御部１１６を介して、操作・表示部１５０に表示する制御を行う。具体的に、表示検査リスト制御部１１５は、例えば検査候補となる検査オーダーの検査情報を、検査オーダー選択画面３００の検査オーダーリスト表示部３２２に表示する。なお、ステップＳ１０３の処理は、表示検査候補抽出部１１５１で行うようにしてもよい。
【００５２】
その後、放射線技師が、例えば操作・表示部１５０を介して、撮影対象（検査対象）となる検査オーダーの検査情報を入力又は選択すると、検査情報入力部１１４は、当該検査対象となる検査オーダーの検査情報を非表示検査候補抽出部１１５２に入力する。なお、本例では、放射線技師（操作者）が操作・表示部１５０を介して検査オーダーの検査情報を入力等するようにしているが、例えば検査オーダーの検査情報を検査情報入力部１１４に直接入力等する態様であってもよい。
【００５３】
続いて、ステップＳ１０４において、非表示検査候補抽出部１１５２は、検査情報入力部１１４から入力された検査対象となる検査オーダーの検査情報に基づき、非表示検査の情報が存在するか否かを判断する。
【００５４】
ステップＳ１０４の判断の結果、非表示検査の情報が存在しない場合には、ステップＳ１０５に進む。
【００５５】
ステップＳ１０５に進むと、表示検査リスト制御部１１５は、放射線技師が入力又は選択した検査オーダーに係る検査情報を、撮影制御部１１６を介して、操作・表示部１５０に選択表示する制御を行う。
【００５６】
一方、ステップＳ１０４の判断の結果、非表示検査の情報が存在する場合には、ステップＳ１０６に進む。
【００５７】
ステップＳ１０６に進むと、非表示検査候補抽出部１１５２は、非表示検査の検査情報の中に、検査情報入力部１１４から指定された検査オーダーに関連する検査オーダーの検査情報（関連検査情報）が存在するか否かを判断する。即ち、ステップＳ１０６では、非表示検査の中に、放射線技師（操作者）が指定した検査オーダーに関連する検査オーダーが存在するか否かを判断する。
【００５８】
ステップＳ１０６の判断の結果、非表示検査の検査情報の中に、指定された検査オーダーに関連する検査オーダーの検査情報が存在しない場合には、ステップＳ１０５に進む。
そして、ステップＳ１０５に進むと、表示検査リスト制御部１１５は、当該指定された検査オーダーの検査情報を操作・表示部１５０に選択表示する制御を行う。
【００５９】
一方、ステップＳ１０６の判断の結果、非表示検査の検査情報の中に、指定された検査オーダーに関連する検査オーダーの検査情報が存在する場合には、ステップＳ１０７に進む。
【００６０】
ステップＳ１０７に進むと、表示検査リスト制御部１１５は、指定された検査オーダーの検査情報、及び、非表示中の検査情報であって当該指定された検査オーダーに関連する検査オーダーの検査情報を操作・表示部１５０に選択表示する制御を行う。なお、ステップＳ１０７の処理は、非表示検査候補抽出部１１５２で行うようにしてもよい。
【００６１】
ステップＳ１０５の処理が終了した場合、或いは、ステップＳ１０７の処理が終了した場合には、ステップＳ１０８に進む。
【００６２】
そして、放射線技師（操作部）は、操作・表示部１５０に選択表示された検査オーダーを確認し、適宜、検査情報入力部１１４を介して検査を開始する検査オーダーの変更を行う。
【００６３】
そして、放射線技師（操作部）が検査開始ボタン３４０を操作して検査オーダーを確定すると、ステップＳ１０８において、撮影制御部１１６は、Ｘ線発生装置制御部１２０等を制御して、当該確定された検査オーダーに基づく撮影を開始する。このステップＳ１０８の処理を行う撮影制御部１１６は、検査制御手段を構成する。
【００６４】
その後、撮影制御部１１６は、センサユニット１４０から、当該確定された検査オーダーに基づく撮影により得られたＸ線画像を取得し、必要に応じて画像処理を施す。そして、撮影制御部１１６は、画像処理後のＸ線画像を、Ｘ線画像保持用メモリ１１７に記憶したり、操作・表示部１５０にモニタ表示したり、出力装置２２０に出力したりする制御を行う。その後、図５に示すフローチャートにおける処理を終了する。
【００６５】
ここで、図３及び図４を用いた処理の流れについて説明する。
例えば、放射線技師（操作部）が、検査オーダー選択画面３００の状態で、検査オーダー条件入力部３２１の絞込みラジオボタンで全検査オーダーから新規検査オーダーを選択する。そうすると、表示検査候補抽出部１１５１の処理により、図４（ａ）に示すように、検査オーダーリスト表示部４２２−１には、検査のステータスが「Ｎｅｗ」の検査オーダーのみが表示される。
【００６６】
そして、例えば、放射線技師（操作部）が、図４（ａ）に示す検査オーダー選択画面４００−１の状態で、患者ＩＤ「４５４５４５」、名前「タナカ  タロウ」の検査オーダーを選択するとする。そうすると、非表示検査候補抽出部１１５２は、非表示中の検査オーダーが存在するか否かを判断し、非表示中の検査オーダーが存在する場合には、更に、その中に関連する検査オーダーが存在するか否かを判断する。本例では、検査のステータスが「Ｐｅｎｄｉｎｇ」の非表示検査オーダーに患者ＩＤ「４５４５４５」、名前「タナカ  タロウ」の検査オーダーが含まれているとする。この場合、図４（ｂ）に示すように、検査オーダーリスト表示部４２２−２には、選択した「Ｎｅｗ」の検査オーダー４２２１と共に、非表示中の「Ｐｅｎｄｉｎｇ」の検査オーダー４２２２が選択表示される。
【００６７】
そして、放射線技師（操作者）は、検査オーダー選択時の検査オーダー選択画面４００−２において、非表示中の検査オーダーに、選択した検査オーダーに関連する検査オーダーが含まれることを確認することができる。そして、放射線技師（操作者）は、必要に応じて、検査を開始する検査オーダーを変更して、検査開始ボタン３４０を操作することで検査を開始する。
【００６８】
なお、検査情報入力部１１４は、外部（例えば操作・表示部１５０やネットワーク２３０等）から入力された検査情報に基づいた検査の開始と、手動で入力した検査情報に基づいた検査の開始とで切替えられるように構成されている。例えば、手動で入力した検査中の検査オーダーの検査情報は、外部入力と同様に検査オーダーリスト表示部３２２に表示される。但し、例えば、非表示検査候補抽出部１１５２において、手動入力された検査オーダーを関連する検査オーダーとして比較する対象から除外することができる。
【００６９】
第１の実施形態によれば、検査を開始する被検者Ｈの検査オーダーを選択する際、非表示の検査オーダーであって指定された検査オーダーに関連する関連検査オーダーも検査オーダーリストに可視化して表示するため、同時に検査を開始することができる。これにより、操作者が関連する検査オーダーの選択漏れを防ぐことができ、また、関連する検査オーダーの選択が容易なことから、操作者の検査オーダーの選択における負担を軽減することができる。即ち、第１の実施形態によれば、外部から任意のタイミングで検査オーダーが発行された場合に、最新の検査オーダーに基づいて検査を進行することができる。
【００７０】
（第２の実施形態）
次に、本発明の第２の実施形態について説明する。
【００７１】
第２の実施形態に係る医療用検査システムの概略構成は、図１に示す第１の実施形態に係る医療用検査システム１０の概略構成と同様の構成を採る。
【００７２】
図６は、本発明の第２の実施形態を示し、図１に示すＸ線撮影装置（医療用検査装置）１００のＸ線撮影装置制御部１１０における主要な機能構成の一例を示す模式図である。ここで、図６では、Ｘ線撮影装置制御部１１０−２として記載する。また、図６において、図２に示す構成と同様の構成については同じ符号を付しており、その詳細な説明は省略する。
【００７３】
具体的に、図６に示すＸ線撮影装置制御部１１０−２は、図２に示すＸ線撮影装置制御部１１０−１の構成に加えて、開始検査制御部１１８を有して構成されている。
【００７４】
この開始検査制御部１１８は、検査開始時に指定された検査オーダーの適正をチェックするものであり、開始検査関連情報取得部１１８１と、開始検査差分抽出部１１８２を有して構成されている。
【００７５】
開始検査関連情報取得部１１８１は、検査開始時に指定された検査オーダーに関連する検査オーダーの最新の検査情報をＲＩＳ２１０から取得する。なお、本例では、関連する検査オーダーとは、例えば患者ＩＤや名前等の患者情報が一致するものを意味するものとする。開始検査差分抽出部１１８２は、開始検査関連情報取得部１１８１で取得した最新の検査オーダーの検査情報を検査情報取得部１１１で取得した検査オーダーの検査情報と比較し、指定された検査オーダーに対する差分を抽出する。そして、撮影制御部１１６は、確定した検査オーダーに基づく撮影を行う。
【００７６】
このように、第２の実施形態では、第１の実施形態に対して、検査開始時に指定された検査オーダーに関連する検査オーダーの最新の検査情報を取得し、この最新の検査情報の処理を追加した形態である。
【００７７】
図７は、本発明の第２の実施形態を示し、図１に示す操作・表示部１５０に検査開始の際に表示される検査オーダー差分通知画面の一例を示す模式図である。
この図７に示す検査オーダー差分通知画面７００には、差分メッセージ表示部７１０、検査オーダーリスト表示部７２０、戻るボタン７３０、及び、ＯＫボタン７４０が設けられている。
【００７８】
差分メッセージ表示部７１０には、指定された検査オーダーが最新の情報と異なること等を通知するメッセージが表示される。検査オーダーリスト表示部７２０は、最新の検査オーダーを表示するものであり、表示された検査オーダーから、再度、開始する検査オーダーの選択が可能に構成されている。
【００７９】
戻るボタン７３０は、操作されると、検査開始を中止して検査オーダーを選択する検査オーダー選択画面３００へ戻る。ＯＫボタン７４０は、操作されると、確定した検査オーダーで検査を開始する。
【００８０】
図８は、本発明の第２の実施形態を示し、図６に示すＸ線撮影装置制御部１１０−２による医療用検査処理方法の処理手順の一例を示すフローチャートである。ここで、図８には、図６に示す開始検査制御部１１８及び撮影制御部１１６の処理のみについて示している。
【００８１】
以下、図１、図３、図６〜図８を用いて、第２の実施形態に係る医療用検査システム１０の全体の処理の流れについて説明する。
【００８２】
第２の実施形態において、被検者Ｈが医師による診断を受け、放射線技師が被検者Ｈの検査オーダーを選択するまでの処理の流れについては、第１の実施形態と同様であるため、その説明は省略する。以下、放射線技師が、検査オーダー選択画面３００で検査オーダーを選択し、検査開始ボタン３４０を操作した後に、開始検査制御部１１８及び撮影制御部１１６で行われる処理について説明する。
【００８３】
まず、図８のステップＳ２０１において、開始検査関連情報取得部１１８１は、検査オーダー選択画面３００で指定された検査オーダーの患者情報として、例えば検索キーに患者ＩＤを指定し、ＲＩＳ２１０から関連する検査オーダーの最新の検査情報を取得する。ここで、検索キーとして指定する情報は、患者を特定可能な情報であれば如何なる情報を指定してもよいものとする。
【００８４】
続いて、ステップＳ２０２において、まず、開始検査差分抽出部１１８２は、開始検査関連情報取得部１１８１で取得した最新の検査オーダーの検査情報を検査情報取得部１１１で取得した検査オーダーの検査情報と比較する。そして、開始検査差分抽出部１１８２は、指定された検査オーダーに対する差分を抽出する。次いで、開始検査制御部１１８（例えば開始検査差分抽出部１１８２）は、指定された検査オーダーに対する差分が存在するか否かを判断する。
【００８５】
ステップＳ２０２の判断の結果、指定された検査オーダーに対する差分が存在しない場合には、ステップＳ２０３に進む。
【００８６】
ステップＳ２０３に進むと、撮影制御部１１６は、Ｘ線発生装置制御部１２０等を制御して、当該指定された検査オーダーに基づく撮影を開始する。
【００８７】
一方、ステップＳ２０２の判断の結果、指定された検査オーダーに対する差分が存在する場合には、ステップＳ２０４に進む。
【００８８】
ステップＳ２０４に進むと、開始検査制御部１１８は、撮影制御部１１６を介して、操作・表示部１５０に検査オーダー差分通知画面７００を表示し、最新の検査オーダーに変更があることを通知する制御を行う。
【００８９】
その後、放射線技師（操作部）は、検査オーダー差分通知画面７００で変更内容を確認し、適宜、検査情報入力部１１４を介して検査を開始する検査オーダーの変更を行う。
【００９０】
そして、放射線技師（操作部）がＯＫボタン７４０を操作して検査オーダーを確定すると、ステップＳ２０５において、撮影制御部１１６は、Ｘ線発生装置制御部１２０等を制御して、当該確定された検査オーダーに基づく撮影を開始する。
【００９１】
ここで、ステップＳ２０３又はＳ２０５の処理を行う撮影制御部１１６は、検査制御手段を構成する。
【００９２】
その後、ステップＳ２０３又はＳ２０５で撮影が開始されると、撮影制御部１１６は、センサユニット１４０から、当該撮影により得られたＸ線画像を取得し、必要に応じて画像処理を施す。そして、撮影制御部１１６は、画像処理後のＸ線画像を、Ｘ線画像保持用メモリ１１７に記憶したり、操作・表示部１５０にモニタ表示したり、出力装置２２０に出力したりする制御を行う。その後、図８に示すフローチャートにおける処理を終了する。
【００９３】
ここで、図３及び図７を用いた処理の流れについて説明する。
例えば、放射線技師（操作部）が、検査オーダー選択画面３００の状態で、患者ＩＤ「４５４５４５」、名前「タナカ  タロウ」の全ての検査オーダーを選択して検査開始ボタン３４０を操作するとする。そうすると、開始検査関連情報取得部１１８１は、ＲＩＳ２１０から患者ＩＤ「４５４５４５」を検索キーとして、指定された検査オーダーに関連する検査オーダーの最新の検査情報を取得する。
【００９４】
そして、開始検査差分抽出部１１８２は、開始検査関連情報取得部１１８１で取得した最新の検査オーダーの検査情報が検査情報取得部１１１で取得した検査オーダーの検査情報と異なるか否かを判断する。その結果、例えば、患者ＩＤ「４５４５４５」、名前「タナカ  タロウ」に新しい検査オーダーが追加されたことを検知すると、開始検査制御部１１８は、これを検査オーダー差分通知画面７００に表示する制御を行う。
【００９５】
これにより、放射線技師（操作部）は、例えば、検査オーダー差分通知画面７００でＡＣＣ＃「Ｂ６６９９９９」の検査オーダーが新規に追加されていることを確認することができる。そして、この新規に追加された検査オーダーの検査も同時に開始する場合に、放射線技師（操作部）は、検査オーダーリスト表示部７２０に追加された検査オーダーを選択してＯＫボタン７４０を操作する。なお、開始検査差分抽出部１１８２は、検査オーダーがキャンセルされて削除された場合などの差分を抽出し、その差分を検査オーダー差分通知画面７００に通知することもできる。
【００９６】
第２の実施形態によれば、第１の実施形態における効果に加えて、検査を開始するタイミングで、指定された検査オーダーに関連する検査オーダーの最新の検査情報を取得して表示するため、最新の検査情報に基づく検査を開始することができる。これにより、検査開始前に検査オーダーの変更認識が容易なことから、操作者の検査オーダー選択における負担を軽減することができる。即ち、第２の実施形態によれば、外部から任意のタイミングで検査オーダーが発行された場合に、最新の検査オーダーに基づいて検査を進行することができる。
【００９７】
（第３の実施形態）
次に、本発明の第３の実施形態について説明する。
【００９８】
第３の実施形態に係る医療用検査システムの概略構成は、図１に示す第１の実施形態に係る医療用検査システム１０の概略構成と同様の構成を採る。
【００９９】
図９は、本発明の第３の実施形態を示し、図１に示すＸ線撮影装置（医療用検査装置）１００のＸ線撮影装置制御部１１０における主要な機能構成の一例を示す模式図である。ここで、図９では、Ｘ線撮影装置制御部１１０−３として記載する。また、図９において、図６に示す構成と同様の構成については同じ符号を付しており、その詳細な説明は省略する。
【０１００】
具体的に、図９に示すＸ線撮影装置制御部１１０−３は、図６に示すＸ線撮影装置制御部１１０−２の構成に加えて、検査中検査監視部１１９を有して構成されている。
【０１０１】
この検査中検査監視部１１９は、検査中の検査オーダーに関連する検査オーダーの変更を監視するものであり、検査中検査関連情報取得部１１９１と、検査中検査差分抽出部１１９２を有して構成されている。
【０１０２】
検査中検査関連情報取得部１１９１は、検査中の検査オーダーに関連する検査オーダーの最新の検査情報をＲＩＳ２１０から取得する。なお、本例では、関連する検査オーダーとは、例えば患者ＩＤや名前等の患者情報が一致するものを意味するものとする。検査中検査差分抽出部１１９２は、検査中検査関連情報取得部１１９１で取得した最新の検査オーダーの検査情報を開始検査関連情報取得部１１８１で取得した検査オーダーの検査情報と比較し、検査開始時の検査オーダーに対する差分を抽出する。
【０１０３】
このように、第３の実施形態では、第２の実施形態に対して、検査中に検査中の検査オーダーに関連する検査オーダーの最新の検査情報を定期的に取得し、この最新の検査情報の処理を追加した形態である。
【０１０４】
図１０は、本発明の第３の実施形態を示し、図１に示す操作・表示部１５０に検査中に表示される撮影画像表示画面及び検査オーダー差分通知画面の一例を示す模式図である。
具体的に、図１０には、図１０（ａ）に撮影画像表示画面１０１０の一例が示され、図１０（ｂ）に検査オーダー差分通知画面１０２０の一例が示されている。
【０１０５】
この図１０（ａ）に示す撮影画像表示画面１０１０には、メッセージ表示部１０１１、差分情報ボタン１０１２、撮影画像表示部１０１３、及び、検査終了ボタン１０１４が設けられている。
【０１０６】
メッセージ表示部１０１１には、例えば次の操作を指示するメッセージが表示される。差分情報ボタン１０１２は、操作されると、上述した差分情報の通知がなされる。
【０１０７】
撮影画像表示部１０１３には、患者情報表示部１０１３１、検査オーダー詳細情報リスト表示部１０１３２、画像調整ボタン１０１３３、及び、画像表示部１０１３４が設けられている。
【０１０８】
患者情報表示部１０１３１には、撮影対象となる被検者Ｈの患者情報が示されている。検査オーダー詳細情報リスト表示部１０１３２には、検査中の検査オーダーに含まれる撮影部位等の詳細情報が表示される。画像調整ボタン１０１３３は、画像表示部１０１３４に表示されているＸ線画像に対して、濃度やコントラストといった画像調整を行う際に操作されるものである。画像表示部１０１３４は、撮影されたＸ線画像が表示される領域である。
【０１０９】
検査終了ボタン１０１４は、操作されると、検査中の検査が終了する。
【０１１０】
図１０（ａ）に示す撮影画像表示画面１０１０の状態で、差分情報ボタン１０１２が操作されると、図１０（ｂ）に示す検査オーダー差分通知画面１０２０が表示される。
【０１１１】
この図１０（ｂ）に示す検査オーダー差分通知画面１０２０には、差分メッセージ表示部１０２１、検査オーダーリスト表示部１０２２、及び、ＯＫボタン１０２３が設けられている。
【０１１２】
差分メッセージ表示部１０２１には、検査中の検査オーダーが最新の情報と異なること等を通知するメッセージが表示される。検査オーダーリスト表示部７２０は、最新の検査オーダーを表示するものであり、検査中に追加したい検査オーダーの選択が可能に構成されている。ＯＫボタン１０２３は、操作されると、検査オーダーリスト表示部７２０で選択中の検査オーダーを進行中の検査に追加等して検査を再開する。
【０１１３】
図１１は、本発明の第３の実施形態を示し、図９に示すＸ線撮影装置制御部１１０−３による医療用検査処理方法の処理手順の一例を示すフローチャートである。ここで、図１１には、図９に示す検査中検査監視部１１９及び撮影制御部１１６の処理のみについて示している。
【０１１４】
以下、図１、図９〜図１１を用いて、第３の実施形態に係る医療用検査システム１０の全体の処理の流れについて説明する。
【０１１５】
第３の実施形態において、被検者Ｈが医師による診断を受け、放射線技師が被検者Ｈの検査オーダーを選択し、検査を開始するまで処理の流れについては、上述した第１の実施形態、及び、第２の実施形態と同様であるため、その説明は省略する。以下、被検者Ｈの検査中において、検査中検査監視部１１９及び撮影制御部１１６で行われる処理について説明する。
【０１１６】
まず、図１１のステップＳ３０１において、検査中検査関連情報取得部１１９１は、検査中の検査オーダーの患者情報として、例えば検索キーに患者ＩＤを指定し、ＲＩＳ２１０から関連する検査オーダーの最新の検査情報を取得する。ここで、検索キーとして指定する情報は、患者を特定可能な情報であれば如何なる情報を指定してもよいものとする。
【０１１７】
続いて、ステップＳ３０２において、まず、検査中検査差分抽出部１１９２は、検査中検査関連情報取得部１１９１で取得した最新の検査オーダーの検査情報を開始検査関連情報取得部１１８１で取得した検査オーダーの検査情報と比較する。そして、検査中検査差分抽出部１１９２は、検査開始時の検査オーダーに対する差分を抽出する。次いで、検査中検査監視部１１９（例えば検査中検査差分抽出部１１９２）は、検査開始時の検査オーダーに対する差分が存在するか否かを判断する。
【０１１８】
ステップＳ３０２の判断の結果、検査開始時の検査オーダーに対する差分が存在しない場合には、図１１に示すフローチャートの処理を終了する。
【０１１９】
一方、ステップＳ３０２の判断の結果、検査開始時の検査オーダーに対する差分が存在する場合には、ステップＳ３０３に進む。
【０１２０】
ステップＳ３０３に進むと、検査中検査監視部１１９は、撮影制御部１１６を介して、操作・表示部１５０に表示されている撮影画像表示画面１０１０に差分情報ボタン１０１２を表示し、最新の検査オーダーに変更があることを通知する制御を行う。
【０１２１】
その後、放射線技師（操作部）は、変更を反映して検査を進行する場合には差分情報ボタン１０１２を操作して、操作・表示部１５０に検査オーダー差分通知画面１０２０を表示する。そして、放射線技師（操作部）は、検査オーダー差分通知画面１０２０で変更内容を確認し、適宜、検査情報入力部１１４を介して検査オーダーの変更を行う。
【０１２２】
そして、放射線技師（操作部）がＯＫボタン１０２３を操作して検査オーダーを確定すると、ステップＳ３０４において、検査中検査監視部１１９は、検査開始時の検査オーダーに対する差分を進行中の検査へ反映するか否かを判断する。ここでの判断は、検査オーダーリスト表示部１０２２の選択状態に基づき行われる。
【０１２３】
ステップＳ３０４の判断の結果、検査開始時の検査オーダーに対する差分を進行中の検査へ反映しない場合には、図１１に示すフローチャートの処理を終了する。
【０１２４】
一方、ステップＳ３０４の判断の結果、検査開始時の検査オーダーに対する差分を進行中の検査へ反映する場合には、ステップＳ３０５に進む。
【０１２５】
ステップＳ３０５に進むと、撮影制御部１１６は、Ｘ線発生装置制御部１２０等を制御して、検査開始時の検査オーダーに対する差分を進行中の検査に追加して当該差分を反映した検査オーダーに基づく撮影を再開する。このステップＳ３０５の処理を行う撮影制御部１１６は、検査制御手段を構成する。
【０１２６】
その後、ステップＳ３０５で撮影が開始されると、撮影制御部１１６は、センサユニット１４０から、当該撮影により得られたＸ線画像を取得し、必要に応じて画像処理を施す。そして、撮影制御部１１６は、画像処理後のＸ線画像を、Ｘ線画像保持用メモリ１１７に記憶したり、操作・表示部１５０にモニタ表示したり、出力装置２２０に出力したりする制御を行う。その後、図８に示すフローチャートにおける処理を終了する。
【０１２７】
なお、本実施形態においては、図８に示すフローチャートの処理を、例えば予め定めたれた頻度で検査中に定期的に行うようにすることも可能である。
この場合、ステップＳ３０２では、ステップＳ３０１で取得した最新の検査オーダーの検査情報を、現在設定されている検査オーダーの検査情報と比較する態様となる。そして、この場合、現在設定されている検査オーダーに対する差分が存在するか否かを判断することになる。そして、ステップＳ３０４では、現在設定されている検査オーダーに対する差分を進行中の検査へ反映するか否かを判断することになる。そして、ステップＳ３０５では、現在設定されている検査オーダーに対する差分を進行中の検査に追加して当該差分を反映した検査オーダーに基づく撮影を再開することになる。
【０１２８】
ここで、図１０を用いた処理の流れについて説明する。
例えば、放射線技師（操作部）が、患者ＩＤ「４５４５４５」、名前「タナカ  タロウ」の検査オーダーを選択し、現在、その検査中であるものとする。この際、検査中検査関連情報取得部１１９１は、ＲＩＳ２１０から患者ＩＤ「４５４５４５」を検索キーとして、検査中の検査オーダーに関連する検査オーダーの最新の検査情報を取得する。なお、検査中検査関連情報取得部１１９１は、検査開始から終了までの間に一定間隔で動作する。その動作する間隔は、例えば、システム設定で保持し、時間や撮影実施後といった繰り返し行われる操作等のタイミングを設定可能としてもよい。
【０１２９】
検査中検査差分抽出部１１９２は、検査中検査関連情報取得部１１９１で取得した最新の検査オーダーの検査情報が開始検査関連情報取得部１１８１で取得した検査オーダーの検査情報と異なる（差分がある）か否かを判断する。その結果、例えば、新しい検査オーダーが追加されたことを検知すると、検査中検査監視部１１９は、撮影画像表示画面１０１０に差分情報ボタン１０１２を表示する。
【０１３０】
その後、放射線技師（操作部）は、上記差分を反映する必要がある場合、差分情報ボタン１０１２を操作して、検査オーダー差分通知画面１０２０を表示する。そして、放射線技師（操作部）は、検査オーダー差分通知画面１０２０の検査オーダーリスト表示部１０２２に新規に追加された検査オーダーＡＣＣ＃「Ｂ６７０００７」を確認する。その後、放射線技師（操作部）は、新規に追加された検査オーダーも同時に検査を行う場合には、検査オーダーリスト表示部１０２２でＡＣＣ＃「Ｂ６７０００７」の検査オーダーを選択して、ＯＫボタン１０２３を操作し、進行中の検査を再開させる。
【０１３１】
第２の実施形態によれば、第２の実施形態における効果に加えて、検査中に定期的に検査中の検査オーダーに関連する検査オーダーの最新の検査情報を取得して表示するため、検査進行中であっても最新の検査情報に基づく検査を進行することができる。これにより、操作者の撮影時の操作負荷を軽減することができる。即ち、第２の実施形態によれば、外部から任意のタイミングで検査オーダーが発行された場合に、最新の検査オーダーに基づいて検査を進行することができる。
【０１３２】
なお、第３の実施形態に係るＸ線撮影装置制御部１１０−３は、図６に示す第２の実施形態に係るＸ線撮影装置制御部１１０−２の構成に加えて、検査中検査監視部１１９を追加した形態を示しているが、本実施形態においてはこの形態に限定されるものではない。例えば、第３の実施形態に係るＸ線撮影装置制御部１１０−３として、図２に示す第１の実施形態に係るＸ線撮影装置制御部１１０−１の構成に加えて、検査中検査監視部１１９を追加した形態も適用可能である。この場合、第３の実施形態に係る医療用検査処理方法は、図５及び図１１に記載された内容に基づくものとなる。
【０１３３】
（本発明の他の実施形態）
前述した本発明の各実施形態に係るＸ線撮影装置（医療用検査装置）１００を構成する図２、図６及び図９の各機能構成部（各手段）は、コンピュータのＣＰＵが記憶媒体に記憶されているプログラムを実行することによって実現できる。また、前述した本発明の各実施形態に係るＸ線撮影装置（医療用検査装置）１００による医療用検査処理方法を示す図５、図８及び図１１の各ステップは、コンピュータのＣＰＵが記憶媒体に記憶されているプログラムを実行することによって実現できる。これらのプログラム及び当該プログラムを記憶したコンピュータ読み取り可能な記録媒体は本発明に含まれる。
【０１３４】
また、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１３５】
なお、本発明は、前述した各実施形態の機能を実現するソフトウェアのプログラム（実施形態では図５、図８及び図１１に示すフローチャートに対応したプログラム）を、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１３６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１３７】
その場合、プログラムの機能を有していれば、オブジェクトコード、インタプリタにより実行されるプログラム、ＯＳに供給するスクリプトデータ等の形態であってもよい。
【０１３８】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１３９】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１４０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１４１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１４２】
また、コンピュータが、読み出したプログラムを実行することによって、前述した各実施形態の機能が実現される。その他、そのプログラムの指示に基づき、コンピュータ上で稼動しているＯＳなどが、実際の処理の一部又は全部を行い、その処理によっても前述した各実施形態の機能が実現され得る。
【０１４３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した各実施形態の機能が実現される。
【０１４４】
なお、前述した各実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１４５】
１１０−１：Ｘ線撮影装置制御部、１１１：検査情報取得部、１１２：検査中検査情報保持用メモリ、１１３：検査候補切替え部、１１４：検査情報入力部、１１５：表示検査リスト制御部、１１５１：表示検査候補抽出部、１１５２：非表示検査候補抽出部、１１６：撮影制御部、１１７：Ｘ線画像保持用メモリ、１２０：Ｘ線発生装置制御部、１４０：センサユニット、１５０：操作・表示部、２１０：ＲＩＳ、２２０：出力装置
【図１】
2014146381.tif 000003
【図２】
2014146381.tif 000004
【図３】
2014146381.tif 000005
【図４】
2014146381.tif 000006
【図５】
2014146381.tif 000007
【図６】
2014146381.tif 000008
【図７】
2014146381.tif 000009
【図８】
2014146381.tif 000010
【図９】
2014146381.tif 000011
【図１０】
2014146381.tif 000012
【図１１】
2014146381.tif 000013
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
複数単位の検査の情報を取得する検査取得手段と、
被検者の情報を取得する被検者取得手段と、
前記被検者の情報に基づいて、前記複数単位の検査から、前記被検者に対する少なくとも１つの検査を特定する特定手段と、
前記複数単位の検査をまとめて実行するための検査画面を表示部に表示させる表示制御手段と、
を有し、
前記表示制御手段は、前記検査画面に前記特定手段により特定される前記少なくとも１つの検査を含む複数の検査のそれぞれに対応する情報を並べて表示させることを特徴とする医療用検査装置。
【請求項２】
前記特定手段は、１単位の検査の情報が選択された場合に、当該検査に関連する検査の情報を取得し、
前記表示制御手段は、さらに、前記選択された検査の情報に対応する表示と、前記関連する検査の情報に対応する表示とを選択状態として表示部に表示させることを特徴とする請求項１に記載の医療用検査装置。
【請求項３】
前記被検者取得手段は、１単位の検査の情報が選択された場合に、当該検査の被検者の情報を取得することを特徴とする請求項１または２に記載の医療用検査装置。
【請求項４】
前記特定手段は、１単位の検査の情報が選択された場合に、当該検査の被検者を対象とする検査を前記複数単位の検査から特定することを特徴とする請求項１乃至３のいずれか１項に記載の医療用検査装置。
【請求項５】
前記表示制御手段は、さらに、操作入力に応じて前記選択状態とされた表示に対応する検査を実行するための検査画面を表示部に表示させることを特徴とする請求項２に記載の医療用検査装置。
【請求項６】
前記検査取得手段は、特定の被検者の情報を検索キーとして当該被検者に関連する検査の情報を外部装置から取得し、
前記表示制御手段は、当該取得に応じて当該検査の情報を表示部に表示させることを特徴とする請求項１乃至５のいずれか１項に記載の医療用検査装置。
【請求項７】
前記特定手段により特定される複数の検査の情報のうちの第一の検査の情報と第二の検査の情報との差分の情報を取得する差分取得手段をさらに有することを特徴とする請求項１乃至６のいずれか１項に記載の医療用検査装置。
【請求項８】
前記表示制御手段は、前記検査画面に、前記特定手段により特定される複数の検査の情報のうちの第一の検査の情報と、第二の検査の情報であって第一の検査の情報との差分の情報とをまとめて表示部に表示させることを特徴とする請求項１乃至７のいずれか１項に記載の医療用検査装置。
【請求項９】
被検者の検査を実行するための検査画面を表示部に表示させる表示制御手段と、
前記検査画面が表示されている間に、当該検査画面で行われる検査の被検者に関連する検査の情報を外部装置から取得するための処理を実行する処理手段と、
を有し、
前記表示制御手段は、前記検査画面が表示されている間に前記外部装置から前記関連する新たな検査の情報が取得されることに応じて当該新たな検査の情報が取得されたことを示す情報を表示させることを特徴とする医療用検査装置。
【請求項１０】
前記表示制御手段は、前記新たな検査の情報が取得されたことを示す情報とともに、操作入力を受け付けるボタンを表示させ、当該ボタンに対する操作入力に応じて当該新たな検査の情報を表示させることを特徴とする請求項９に記載の医療用検査装置。
【請求項１１】
前記表示制御手段は、当該ボタンに対する操作入力に応じて当該新たな検査の情報と、前記検査画面で行われる検査の情報とを並べて表示させることを特徴とする請求項１０に記載の医療用検査装置。
【請求項１２】
前記表示制御手段は、前記新たな検査の情報を示す表示を選択状態として表示させ、当該表示の選択状態と非選択状態とを切り替える操作入力に応じて選択状態を示す表示形態と非選択状態を示す表示形態とを切り替えて表示させることを特徴とする請求項９または１０に記載の医療用検査装置。
【請求項１３】
前記表示制御手段は、選択状態として表示される表示に対応する前記新たな検査の実行を指示する操作入力を受け付けるためのその他のボタンをさらに表示させ、前記その他のボタンに対する操作入力に応じて前記新たな検査の情報を前記検査画面に追加して表示させることを特徴とする請求項９乃至１２のいずれか１項に記載の医療用検査装置。
【請求項１４】
放射線を検出して放射線画像を得る、放射線撮影を行うためのセンサユニットをさらに有し、
前記検査は、被検者の放射線撮影であることを特徴とする請求項１乃至１３のいずれか１項に記載の医療用検査装置。
【請求項１５】
複数単位の検査の情報を取得する検査取得手段と、
被検者の情報を取得する被検者取得手段と、
前記被検者の情報に基づいて、前記複数単位の検査から、前記被検者に対する少なくとも１つの検査を特定する特定手段と、
前記複数単位の検査をまとめて実行するための検査画面を表示部に表示させる表示制御手段と、
を有し、
前記表示制御手段は、前記検査画面に前記特定手段により特定される前記少なくとも１つの検査を含む複数の検査のそれぞれに対応する情報を並べて表示させることを特徴とする医療用検査システム。
【請求項１６】
被検者の検査を実行するための検査画面を表示部に表示させる表示制御手段と、
前記検査画面が表示されている間に、当該検査画面で行われる検査の被検者に関連する検査の情報を外部装置から取得するための処理を実行する処理手段と、
を有し、
前記表示制御手段は、前記検査画面が表示されている間に前記外部装置から前記関連する新たな検査の情報が取得されることに応じて当該新たな検査の情報が取得されたことを示す情報を表示させることを特徴とする医療用検査システム。
【請求項１７】
複数単位の検査の情報を取得する検査取得ステップと、
被検者の情報を取得する被検者取得ステップと、
前記被検者の情報に基づいて、前記複数単位の検査から、前記被検者に対する少なくとも１つの検査を特定する特定ステップと、
前記複数単位の検査をまとめて実行するための検査画面を表示部に表示させる表示制御ステップと、
を有し、
前記表示制御ステップでは、前記検査画面に前記特定ステップにより特定される前記少なくとも１つの検査を含む複数の検査のそれぞれに対応する情報を並べて表示させることを特徴とする医療用検査装置の制御方法。
【請求項１８】
被検者の検査を実行するための検査画面を表示部に表示させる表示制御ステップと、
前記検査画面が表示されている間に、当該検査画面で行われる検査の被検者に関連する検査の情報を外部装置から取得するための処理を実行する処理ステップと、
を有し、
前記表示制御ステップでは、前記検査画面が表示されている間に前記外部装置から前記関連する新たな検査の情報が取得されることに応じて当該新たな検査の情報が取得されたことを示す情報を表示させることを特徴とする医療用検査装置の制御方法。
【請求項１９】
請求項１７または１８に記載の制御方法の各ステップをコンピュータに実行させるためのプログラム。
【手続補正３】
【補正対象書類名】明細書
【補正対象項目名】０００１
【補正方法】変更
【補正の内容】
【０００１】
本発明は、医療用検査装置及びその制御方法、医療用検査システム、並びに、当該制御方法をコンピュータに実行させるためのプログラムに関するものである。
【手続補正４】
【補正対象書類名】明細書
【補正対象項目名】００１１
【補正方法】変更
【補正の内容】
【００１１】
本発明の医療用検査装置は、複数単位の検査の情報を取得する検査取得手段と、被検者の情報を取得する被検者取得手段と、前記被検者の情報に基づいて、前記複数単位の検査から、前記被検者に対する少なくとも１つの検査を特定する特定手段と、前記複数単位の検査をまとめて実行するための検査画面を表示部に表示させる表示制御手段と、を有し、前記表示制御手段は、前記検査画面に前記特定手段により特定される前記少なくとも１つの検査を含む複数の検査のそれぞれに対応する情報を並べて表示させる。
本発明の医療用検査装置における他の態様は、被検者の検査を実行するための検査画面を表示部に表示させる表示制御手段と、前記検査画面が表示されている間に、当該検査画面で行われる検査の被検者に関連する検査の情報を外部装置から取得するための処理を実行する処理手段と、を有し、前記表示制御手段は、前記検査画面が表示されている間に前記外部装置から前記関連する新たな検査の情報が取得されることに応じて当該新たな検査の情報が取得されたことを示す情報を表示させる。
また、本発明は、上述した医療用検査装置に対応する医療用検査システム、上述した医療用検査装置の制御方法、及び、当該制御方法をコンピュータに実行させるためのプログラムを含む。
【手続補正５】
【補正対象書類名】明細書
【補正対象項目名】００５０
【補正方法】変更
【補正の内容】
【００５０】
続いて、ステップＳ１０２において、表示検査候補抽出部１１５１は、検査候補切替え部１１３からの入力情報および検査オーダーの状態に基づき、ステップＳ１０１で取得した検査オーダーの検査情報の中から検査候補となる検査オーダーの検査情報を抽出する。なお、検査候補切替え部１１３では、少なくとも、新規検査オーダーか検査進行中の検査オーダーかの検査状態を選択肢として持ち、この選択状態に基づき検査候補の切替えに係る検査候補切替え情報を表示検査候補抽出部１１５１に入力する。
【手続補正６】
【補正対象書類名】明細書
【補正対象項目名】０１１２
【補正方法】変更
【補正の内容】
【０１１２】
差分メッセージ表示部１０２１には、検査中の検査オーダーが最新の情報と異なること等を通知するメッセージが表示される。検査オーダーリスト表示部１０２２は、最新の検査オーダーを表示するものであり、検査中に追加したい検査オーダーの選択が可能に構成されている。ＯＫボタン１０２３は、操作されると、検査オーダーリスト表示部１０２２で選択中の検査オーダーを進行中の検査に追加等して検査を再開する。
【手続補正７】
【補正対象書類名】明細書
【補正対象項目名】０１２６
【補正方法】変更
【補正の内容】
【０１２６】
その後、ステップＳ３０５で撮影が開始されると、撮影制御部１１６は、センサユニット１４０から、当該撮影により得られたＸ線画像を取得し、必要に応じて画像処理を施す。そして、撮影制御部１１６は、画像処理後のＸ線画像を、Ｘ線画像保持用メモリ１１７に記憶したり、操作・表示部１５０にモニタ表示したり、出力装置２２０に出力したりする制御を行う。その後、図１１に示すフローチャートにおける処理を終了する。
【手続補正８】
【補正対象書類名】明細書
【補正対象項目名】０１２７
【補正方法】変更
【補正の内容】
【０１２７】
なお、本実施形態においては、図１１に示すフローチャートの処理を、例えば予め定めたれた頻度で検査中に定期的に行うようにすることも可能である。
この場合、ステップＳ３０２では、ステップＳ３０１で取得した最新の検査オーダーの検査情報を、現在設定されている検査オーダーの検査情報と比較する態様となる。そして、この場合、現在設定されている検査オーダーに対する差分が存在するか否かを判断することになる。そして、ステップＳ３０４では、現在設定されている検査オーダーに対する差分を進行中の検査へ反映するか否かを判断することになる。そして、ステップＳ３０５では、現在設定されている検査オーダーに対する差分を進行中の検査に追加して当該差分を反映した検査オーダーに基づく撮影を再開することになる。
【手続補正９】
【補正対象書類名】明細書
【補正対象項目名】０１３１
【補正方法】変更
【補正の内容】
【０１３１】
第３の実施形態によれば、第２の実施形態における効果に加えて、検査中に定期的に検査中の検査オーダーに関連する検査オーダーの最新の検査情報を取得して表示するため、検査進行中であっても最新の検査情報に基づく検査を進行することができる。これにより、操作者の撮影時の操作負荷を軽減することができる。即ち、第３の実施形態によれば、外部から任意のタイミングで検査オーダーが発行された場合に、最新の検査オーダーに基づいて検査を進行することができる。